(57)【特許請求の範囲】
【請求項１】
表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記一方の平面シートに、前記一方の端縁シール部側の端部から前記両側縁シール部の長さ方向中間部まで、それぞれ前記未シール部内を通って切れ目線が形成されていることを特徴とする包装袋。
【請求項２】
表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
少なくとも前記一方の平面シートが、長さ方向に延伸された一軸延伸フィルム層を有する積層シートで構成されており、該一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記延出部の幅方向両端部の前記未シール部に対応する位置にそれぞれノッチが形成されていることを特徴とする包装袋。
【請求項３】
表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
少なくとも前記一方の平面シートが、長さ方向に延伸された一軸延伸フィルム層を有する積層シートで構成されており、該一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に連続して隣接する領域を含む前記両側縁シール部の残部が前記強シール部である強側縁シール部となっている一方、前記延出部の幅方向両端部の前記弱側縁シール部に対応する位置にそれぞれノッチが形成されていることを特徴とする包装袋。
【請求項４】
表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記一方の平面シートに、前記一方の端縁シール部側の端部から前記両側縁シール部の長さ方向中間部まで、それぞれ前記弱側縁シール部内を通って切れ目線が形成されていることを特徴とする包装袋。
【請求項５】
前記側面シートが、他方の平面シートの対応する側縁に一体に連なっていることを特徴とする請求項１〜４のいずれか一項に記載の包装袋。
【請求項６】
表裏面を形成する平面シートの対応する両側部同士を熱融着した両側縁シール部と、対応する両端縁部同士を熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記一方の平面シートに、前記一方の端縁シール部側の端部から前記両側縁シール部の長さ方向中間部まで、それぞれ前記未シール部内を通って切れ目線が形成されていることを特徴とする包装袋。
【請求項７】
表裏面を形成する平面シートの対応する両側部同士を熱融着した両側縁シール部と、対応する両端縁部同士を熱融着した両端縁シール部とからなる周縁シール部が形成された平面四角形の包装袋において、
少なくとも前記一方の平面シートが、長さ方向に延伸された一軸延伸フィルム層を有する積層シートで構成されており、該一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記延出部の幅方向両端部の前記未シール部に対応する位置にそれぞれノッチが形成されていることを特徴とする包装袋。
【請求項８】
表裏面を形成する平面シートの対応する両側部同士を熱融着した両側縁シール部と、対応する両端縁部同士を熱融着した両端縁シール部とからなる周縁シール部が形成された平面四角形の包装袋において、
少なくとも前記一方の平面シートが、長さ方向に延伸された一軸延伸フィルム層を有する積層シートで構成されており、該一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に連続して隣接する領域を含む前記両側縁シール部の残部が前記強シール部である強側縁シール部となっている一方、前記延出部の幅方向両端部の前記弱側縁シール部に対応する位置にそれぞれノッチが形成されていることを特徴とする包装袋。
【請求項９】
表裏面を形成する平面シートの対応する両側部同士を熱融着した両側縁シール部と、対応する両端縁部同士を熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記一方の平面シートに、前記一方の端縁シール部側の端部から前記両側縁シール部の長さ方向中間部まで、それぞれ前記弱側縁シール部内を通って切れ目線が形成されていることを特徴とする包装袋。
【請求項１０】
蓋材が、容器の開口部周縁に張り出したフランジ部の外周縁部に、両側縁シール部と両端縁シール部とからなる周縁シール部で熱融着された平面四角形の包装容器において、
前記蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記蓋材に、前記一方の端縁シール部側の端部から前記両側縁シール部の長さ方向中間部まで、それぞれ前記未シール部内を通って切れ目線が形成されていることを特徴とする包装容器。
【請求項１１】
蓋材が、容器の開口部周縁に張り出したフランジ部の外周縁部に、両側縁シール部と両端縁シール部とからなる周縁シール部で熱融着された平面四角形の包装容器において、
前記蓋材が、長さ方向に延伸された一軸延伸フィルム層を有する積層シートで構成されており、該蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記延出部の幅方向両端部の前記未シール部に対応する位置にそれぞれノッチが形成されていることを特徴とする包装容器。
【請求項１２】
蓋材が、容器の開口部周縁に張り出したフランジ部の外周縁部に、両側縁シール部と両端縁シール部とからなる周縁シール部で熱融着された平面四角形の包装容器において、
前記蓋材が、長さ方向に延伸された一軸延伸フィルム層を有する積層シートで構成されており、該蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に連続して隣接する領域を含む前記両側縁シール部の残部が前記強シール部である強側縁シール部となっている一方、前記延出部の幅方向両端部の前記弱側縁シール部に対応する位置にそれぞれノッチが形成されていることを特徴とする包装容器。
【請求項１３】
蓋材が、容器の開口部周縁に張り出したフランジ部の外周縁部に、両側縁シール部と両端縁シール部とからなる周縁シール部で熱融着された平面四角形の包装容器において、
前記蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記蓋材に、前記一方の端縁シール部側の端部から前記両側縁シール部の長さ方向中間部まで、それぞれ前記弱側縁シール部内を通って切れ目線が形成されていることを特徴とする包装容器。
【発明の詳細な説明】
【技術分野】
【０００１】
本発明は、開封手段を有する包装袋及び包装容器に関する。更に詳しくは、広い開口部を形成可能な開封手段を有する包装袋及び包装容器に関する。
【背景技術】
【０００２】
従来、広い開口部を形成可能な開封手段を有する包装袋として、特許文献１に示されるガゼット袋が知られている。この従来の包装袋は、基本的には四方シールガゼット袋であるが、表裏を構成する平面シートの一端側が山形に形成された平面瓶形をなしている。具体的には、それぞれ長方形の一端側を山形にした平面シートを重ね合わせ、その両側にマチ部を形成する側面シートを挟み込んで、平面シートの周囲を周縁シール部で熱融着したものとなっている。一方の平面シートは、山形部頂部に周縁シール部より外方へ延出した開封用摘み片を有している。また、周縁シール部のうち、山形部外縁に沿った山形外縁シール部と、両側部に沿った両側縁シール部とが、シール強度が弱い易剥離性の弱シール部となっている。開封は、一方の平面シートを、その開封用摘み片を引いて、山形部外縁シール部と両側縁シール部から引き剥がして、山形部とは反対側の端縁（瓶の底部に相当）を熱融着している端縁シール部までめくり上げることで行われる。
【先行技術文献】
【特許文献】
【０００３】
【特許文献１】特開２００５−２３１６４５号公報
【発明の概要】
【発明が解決しようとする課題】
【０００４】
しかしながら、前記従来の包装袋の場合、山形部外縁シール部と両側縁シール部を易剥離性の弱シールとしなければならず、四方のシールのうち少なくとも三方のシールが弱シールとなるので、袋全体のシール強度が不足しやすい問題がある。このため、この包装袋を用いた包装体に衝撃が加わった場合などに破袋を生じやすい問題がある。
【０００５】
また、内容物によっては、開封を半分程度にし、めくり上げた平面シートを元に戻して蓋代わりとし、一時的に保存しやすくすることが好ましい場合もある。しかし、前記従来の包装袋の場合、開封時に不用意に力を入れると平面シートが大きく引き剥がされてしまい、開封量の調整が行いにくい問題がある。特に力を入れすぎて一気に全開してしまうと、はずみで内容物が飛び出しやすい問題もある。
【０００６】
本発明は、上記従来の問題点に鑑みてなされたもので、広い開口部を形成可能な包装袋について、全体のシール強度を向上させると共に、開封量を調整しやすくすることを第一の目的とする。また、本発明は、袋と同様の原理を用いて、蓋材の開封量を調整しやすい包装容器を提供することを第二の目的とする。
【課題を解決するための手段】
【０００７】
本発明の第一〜第六は、上記第一の目的を達成する包装袋を提供するものである。また、本発明の第七〜第九は、上記第二の目的を達成する包装容器を提供するものである。
【０００８】
即ち、本発明の第一は、表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記一方の平面シートに、前記一方の端縁シール部側の端部から前記両側縁シール部の長さ方向中間部まで、それぞれ前記未シール部内を通って切れ目線が形成されていることを特徴とする包装袋を提供するものである。
【０００９】
本発明の第二は、表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
少なくとも前記一方の平面シートが、長さ方向に延伸された一軸延伸フィルム層を有する積層シートで構成されており、該一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記延出部の幅方向両端部の前記未シール部に対応する位置にそれぞれノッチが形成されていることを特徴とする包装袋を提供するものである。また、上記本発明の第二は、上記本発明の第二に係る包装袋において、前記両側縁シール部を、前記一方の端縁シール部側の端部から長さ方向中間部までの領域における幅方向内側が前記弱シール部である弱側縁シール部、該弱側縁シール部の幅方向外側に連続して隣接する領域を含む前記両側縁シール部の残部が前記強シール部である強側縁シール部とする一方、前記延出部の幅方向両端部の前記弱側縁シール部に対応する位置にそれぞれノッチを形成したことを特徴とする包装袋を提供するものでもある。
【００１０】
本発明の第三は、表裏面を形成する平面シートと、両側にマチ部を形成する側面シートを備え、少なくとも一方の平面シートの両側部と、対応する側の前記側面シートとをそれぞれ熱融着した両側縁シール部と、前記平面シートの対応する端縁部同士及びこの両者間に挟まれた前記側面シートをそれぞれ熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記一方の平面シートに、前記一方の端縁シール部側の端部から前記両側縁シール部の長さ方向中間部まで、それぞれ前記弱側縁シール部内を通って切れ目線が形成されていることを特徴とする包装袋を提供するものである。
【００１１】
上記本発明の第一〜第三は、前記側面シートが、他方の平面シートの対応する側縁に一体に連なっていることを好ましい態様として含むものである。
【００１２】
また、本発明の第四は、表裏面を形成する平面シートの対応する両側部同士を熱融着した両側縁シール部と、対応する両端縁部同士を熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記一方の平面シートに、前記一方の端縁シール部側の端部から前記両側縁シール部の長さ方向中間部まで、それぞれ前記未シール部内を通って切れ目線が形成されていることを特徴とする包装袋を提供するものである。
【００１３】
本発明の第五は、表裏面を形成する平面シートの対応する両側部同士を熱融着した両側縁シール部と、対応する両端縁部同士を熱融着した両端縁シール部とからなる周縁シール部が形成された平面四角形の包装袋において、
少なくとも前記一方の平面シートが、長さ方向に延伸された一軸延伸フィルム層を有する積層シートで構成されており、該一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記延出部の幅方向両端部の前記未シール部に対応する位置にそれぞれノッチが形成されていることを特徴とする包装袋を提供するものである。また、上記本発明の第五は、上記本発明の第五に係る包装袋において、前記両側縁シール部を、前記一方の端縁シール部側の端部から長さ方向中間部までの領域における幅方向内側が前記弱シール部である弱側縁シール部、該弱側縁シール部の幅方向外側に連続して隣接する領域を含む前記両側縁シール部の残部が前記強シール部である強側縁シール部とする一方、前記延出部の幅方向両端部の前記弱側縁シール部に対応する位置にそれぞれノッチを形成したことを特徴とする包装袋を提供するものでもある。
【００１４】
本発明の第六は、表裏面を形成する平面シートの対応する両側部同士を熱融着した両側縁シール部と、対応する両端縁部同士を熱融着した両端縁シール部とからなる周縁シール部が形成された平面四角形の包装袋において、
前記一方の平面シートの一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記一方の平面シートに、前記一方の端縁シール部側の端部から前記両側縁シール部の長さ方向中間部まで、それぞれ前記弱側縁シール部内を通って切れ目線が形成されていることを特徴とする包装袋を提供するものである。
【００１５】
更に本発明の第七は、蓋材が、容器の開口部周縁に張り出したフランジ部の外周縁部に、両側縁シール部と両端縁シール部とからなる周縁シール部で熱融着された平面四角形の包装容器において、
前記蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記蓋材に、前記一方の端縁シール部側の端部から前記両側縁シール部の長さ方向中間部まで、それぞれ前記未シール部内を通って切れ目線が形成されていることを特徴とする包装容器を提供するものである。
【００１６】
本発明の第八は、蓋材が、容器の開口部周縁に張り出したフランジ部の外周縁部に、両側縁シール部と両端縁シール部とからなる周縁シール部で熱融着された平面四角形の包装容器において、
前記蓋材が、長さ方向に延伸された一軸延伸フィルム層を有する積層シートで構成されており、該蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記弱側縁シール部とその幅方向外側の前記強側縁シール部との間に未シール部が残されており、前記延出部の幅方向両端部の前記未シール部に対応する位置にそれぞれノッチが形成されていることを特徴とする包装容器を提供するものである。また、上記本発明の第八は、上記本発明の第八五に係る包装容器において、前記両側縁シール部を、前記一方の端縁シール部側の端部から長さ方向中間部までの領域における幅方向内側が前記弱シール部である弱側縁シール部、該弱側縁シール部の幅方向外側に連続して隣接する領域を含む前記両側縁シール部の残部が前記強シール部である強側縁シール部とする一方、前記延出部の幅方向両端部の前記弱側縁シール部に対応する位置にそれぞれノッチを形成したことを特徴とする包装容器を提供するものでもある。
【００１７】
本発明の第九は、蓋材が、容器の開口部周縁に張り出したフランジ部の外周縁部に、両側縁シール部と両端縁シール部とからなる周縁シール部で熱融着された平面四角形の包装容器において、
前記蓋材の一方の端縁部が、同じ側の一方の端縁シール部より外方に延出した延出部を有していると共に、前記周縁シール部のうち、前記両側縁シール部の一部及び前記一方の端縁シール部が引き剥がし可能な弱シール部、その他の領域が該弱シール部よりシール強度の高い強シール部となっており、前記両側縁シール部は、前記一方の端縁シール部側の端部から長さ方向中間部までの領域における幅方向内側が前記弱シール部である弱側縁シール部、該弱側縁シール部の幅方向外側に隣接する領域を含む前記両側縁シール部の残部が前記強シール部である強側縁シール部となっている一方、前記蓋材に、前記一方の端縁シール部側の端部から前記両側縁シール部の長さ方向中間部まで、それぞれ前記弱側縁シール部内を通って切れ目線が形成されていることを特徴とする包装容器を提供するものである。
【００１８】
なお、本発明において、四角形の相対向する二辺を側縁、他の相対向する二辺を端縁、端縁の対向方向を長さ方向、側縁の対向方向を幅方向という。また、側縁シール部の長さ方向中間部とは、一方の端縁シール部側の端部及び他方の端縁シール部側の端部を除き、当該両端部間に挟まれた部分をいう。
【発明の効果】
【００１９】
本発明の第一〜第三はガゼット袋であり、本発明の第四〜第六は平袋である。いずれの袋でも、開封は、一方の平面シートの延出部を摘んで引っ張り、切れ目線に沿って一方の平面シートを切断しつつ、延出部側の一方の端縁シール部及び両側縁シール部の弱側縁シール部を引き剥がして、一方の平面シートを捲り上げることで行われる。弱側縁シール部は比較的容易に引き剥がすことができるが、それに連なって形成された強シール部の位置まで来ると抵抗が増大し、引き剥がしが停止される。従って、両側縁シール部の弱側縁シール部の長さを調整することで開封量を調整することができる。また、引き剥がし可能な弱シール部は、延出部側の端縁シール部の他、両側縁シール部の弱側縁シール部であるが、この弱側縁シール部の外縁側には、弱シール部よりシール強度の高い強シール部である強側縁シール部が形成されて補強されている。従って、実質的に弱シール部となっているのは延出部側の端縁シール部のみであり、袋全体としてのシール強度が大きく低下してしまうのを防止することができる。
【００２０】
本発明の第七〜第九は、それぞれ本発明の第一〜第三の包装袋の開封原理を用いた包装容器である。本発明の第七〜第九によれば、蓋材が、容器の開口部周縁に張り出したフランジ部に、両側縁シール部と両端縁シール部とからなる周縁シール部で熱融着された平面四角形の包装容器について、上記袋に関する本発明と同様に、蓋材のシール強度を大きく低下させることなく、広い開口部を形成する開封を可能とすると共に、蓋材の開封量の調整が容易とすることができる。
【図面の簡単な説明】
【００２１】
【図１】本発明に係る包装袋の第一の例を示す平面図である。
【図２】図１におけるＡ−Ａ拡大断面図である。
【図３】図１におけるＢ−Ｂ拡大断面図である。
【図４】図１に示される包装袋の斜視図である。
【図５】図１に示される包装袋の開封状態を示す斜視図である。
【図６】本発明に係る包装袋の第二の例を示す平面図である。
【図７】図６におけるＡ−Ａ拡大断面図である。
【図８】本発明に係る包装袋の第三の例を示す平面図である。
【図９】図８におけるＡ−Ａ拡大断面図である。
【図１０】本発明に係る包装袋の第一〜第三の例の変形例を示す断面図である。
【図１１】本発明に係る包装袋の第四の例を示す平面図である。
【図１２】図１１におけるＡ−Ａ拡大断面図である。
【図１３】図１１におけるＢ−Ｂ拡大断面図である。
【図１４】本発明に係る包装袋の第五の例を示す平面図である。
【図１５】図１４におけるＡ−Ａ断面図である。
【図１６】本発明に係る包装袋の第六の例を示す平面図である。
【図１７】図１５におけるＡ−Ａ断面図である。
【図１８】本発明に係る包装容器の第一の例を示す平面図である。
【図１９】図１８におけるＡ−Ａ拡大断面図である。
【図２０】図１８におけるＢ−Ｂ拡大断面図である。
【図２１】本発明に係る包装容器の第二の例を示す平面図である。
【図２２】図２１におけるＡ−Ａ拡大断面図である。
【図２３】本発明に係る包装容器の第三の例を示す平面図である。
【図２４】図２３におけるＡ−Ａ拡大断面図である。
【発明を実施するための形態】
【００２２】
図１〜図５に基づいて本発明の包装袋の第一の例を説明する。
【００２３】
本発明の包装袋の第一の例は、図１〜図３に示されるように、四方シールガゼット袋で、表裏を形成する平面シート１，２と、両側にマチ部を形成する側面シート３，４とによって、マチ付の袋状に形成されている。なお、以下の説明においては、説明の便宜上、図面上の上側の平面シート１を表面シート１、下側の平面シート２を背面シート２とする。
【００２４】
表面シート１と背面シート２は、同形同大の平面四角形をなし、重ね合わされている。側面シート３，４は、表面シート１及び背面シート２と同じ長さで、折り目を内側に向けて幅方向に二つ折りにされ、表面シート１と背面シート２の両側縁部間にそれぞれ挟み込まれている。表面シート１の両側縁部は、それぞれ対応する側面シート３，４の対向部分と側縁シール部５，６によって熱融着されている。背面シート２の両側縁部も、それぞれ対応する側面シート３，４の対向部分と側縁シール部７，８によって熱融着されている。表面シート１と背面シート２の対応する端縁部同士と、この両者間に挟まれた側面シート３，４の端部は、端縁シール部９，１０によってそれぞれ熱融着されている。表面シート１の周縁に形成された両側縁シール部５，６及び両端縁シール部９，１０は表面シート１側の周縁シール部１１を構成しており、背面シート２の周縁に形成された両側縁シール部７，８及び両端縁シール部９，１０は背面シート２側の周縁シール部１２を構成している。
【００２５】
表面シート１、背面シート２及び両側面シート３，４としては、例えば、外面側からベースフィルム層／接着層／バリア層／シーラント層の順に積層した積層シートを用いることができる。ベースフィルムとしては、例えばポリエステルフィルムを用いることができる。接着層としては、例えば低密度ポリエチレン、ＥＭＭＡなどを用いることができ、バリア層としては、例えばアルミニウム（箔、蒸着層）、ポリアミドなどを用いることができる。シーラント層としては、低密度ポリエチレン、リニア低密度ポリエチレン、エチレン−酢酸ビニル共重合体、アイオノマーなど、一般的なシーラント材を用いることもできるが、後述する弱シール部と強シール部を容易に形成することができることから、ロック＆ピールシーラント材が好ましい。このロック＆ピールシーラント材は、シール強度の温度依存性が大きな材料で、低温シールでシール強度が弱く、高温シールでシール強度が高くなる。具体例としては、エンシュー化成工業株式会社製のロック＆ピールフィルムを挙げるとができる。表面シート１、背面シート２及び両側面シート３，４は、シーラント層同士が向き合うように配置されている。また、表面シート１、背面シート２及び両側面シート３，４は、それぞれ同じ積層シートでも良いが、異なる積層シートを用いることもできる。
【００２６】
表面シート１及び背面シート２の一方の端縁部は、同じ側の端縁シール部９よりも外側に延出した延出部１３，１４を有している。本例においては、表面シート１の周囲に形成された周縁シール部１１のうち、前記両側縁シール部５，６の一部及び延出部１３側の端縁シール部９は引き剥がし可能な弱シール部、その他の領域はこの弱シール部よりシール強度の高い強シール部となっている。
【００２７】
両側縁シール部５，６は、上記のように弱シール部となった端縁シール部９側の端部から長さ方向中間部までの領域における幅方向内側が弱シール部である弱側縁シール部５ａ，６ａ、この弱側縁シール部５ａ，６ａの幅方向外側に隣接する領域を含む両側縁シール部５，６の残部が強シール部である強側縁シール部５ｂ，６ｂとなっている。つまり、両側縁シール部５，６は、延出部１３側に設けられた端縁シール部９側では幅方向に弱シール部と強シール部が並列しており、延出部１３とは反対側の端縁シール部１０側では、この並列した弱シール部と強シール部に連なって全幅に亘って強シール部となっている。また、端縁シール部１０は強シール部となっている。なお、背面シート２側の両側縁シール部７，８は全体が強シール部となっている。
【００２８】
弱シール部は、不用意な破袋を防止できかつ手で容易に剥離することができる程度のシール強度のシール部であり、強シール部は、弱シール部の倍以上のシール強度を有していることが好ましい。具体的には、ＪＩＳ  Ｋ  ６８５４−３に基づいて測定した剥離強度が、弱シール部では２〜１５Ｎ、強シール部では３０Ｎ以上であることが好ましい。図において、間隔の広いハッチングの領域が弱シール部を示し、間隔の狭いハッチングの領域が強シール部を示す。
【００２９】
弱シール部と強シール部は、表面シート１、背面シート２及び両側面シート３，４のシーラント層としてロック＆ピールシーラント材を用いた場合、シール温度を調整することで選択的に形成することができる。低いシール温度でシールした範囲が弱シール部となり、高いシール温度でシールした範囲が強シール部となる。また、シーラント層として一般的なシーラント材を用いた場合、易剥離性テープを挟み込ませてシールを行うことで弱シール部を形成することもできる。
【００３０】
両側縁シール部５，６の端縁シール部９側の端部から長さ方向中間部までの領域に形成された弱側縁シール部５ａ，６ａとその幅方向外側の強側縁シール部５ｂ，６ｂとの間には、それぞれ未シール部１５，１６が残されている。そして、表面シート１には、端縁シール部９側の端部から両側縁シール部５，６の長さ方向中間部まで、即ち弱側縁シール部５ａ，６ａの内端に対応する位置まで、端縁シール部９を横切り未シール部１５，１６内を通って切れ目線１７，１８が形成されている。この切れ目線１７，１８は、ハーフカットなどのように、表面シート１を貫通しないものでもよいが、弱側縁シール部５ａ，６ａで密封状態を維持できるので、ミシン目や、連続又は断続的な切断ラインなどのように、表面シート１を貫通するものでもよい。本例の包装袋は、側縁シール部５，６の形成前の表面シート１の原反に切れ目線１７，１８を形成しておくことで効率良く製造することができる。特に表面シート１の内面側にハーフカットとして形成しておくと、切れ目線１７，１８の存在を外観上分からなくすることができる。ただし、側縁シール部５，６を形成した後に、例えばレーザー光などで切れ目線１７，１８を形成することもできる。
【００３１】
本包装袋の開封は、図４及び図５に示されるように、表面シート１側の延出部１３を摘んで引っ張ることで行うことができる。この時、背面シート２側の延出部１４も摘んで押さえることで、表面シート１側の延出部１３を引き上げやすくなる。図示される例では、表面シート１側の延出部１３の下側に背面シート２側の延出部１４が同じ長さで重なっているが、表面シート１側の延出部１３を摘みやすくするために、背面シート２の長さを表面シート１より短くし、背面シート２側の延出部１４を表面シート１側の延出部１３より短くした包装袋とすることもできる。
【００３２】
表面シート１側の延出部１３を引き上げて引っ張り、端縁シール部９及び弱側縁シール部５ａ，６ａを剥離すると共に、切れ目線１７，１８に沿って表面シート１を切断し、表面シート１を捲り上げる。両弱側縁シール部５ａ，６ａの剥離が、弱側縁シール部５ａ，６ａに連なる強側縁シール部５ｂ，６ｂの位置まで来ると、剥離抵抗が増大して剥離が低停止され、表面シート１が全開される前に開封が止められる。例えば図５に示される状態から、捲り上げた表面シート１を元の位置に戻せば、これを蓋代わりにして開口部を覆うことができる。開封時に形成される開口部の大きさは、弱側縁シール部５ａ，６ａの長さによって調整することができる。弱側縁シール部５ａ，６ａの長さは、端縁シール部９側の端部から端縁シール部１０側の端部の手前までの長さの範囲で選択できるが、一般的には側縁シール部５，６の長さ（両端縁シール部９，１０で挟まれた範囲の長さ）の１／５〜４／５程度の範囲内で選択される。
【００３３】
図示される第一の例では、端縁シール部９が未シール部１７を横断して形成されているが、切れ目線１７，１８に沿った表面シート１の切断を容易にするために、未シール部１７上に端縁シール部９が形成されないようにすることもできる。また、図面上切れ目線１７，１８は未シール部１５，１６の長さ分だけ形成されたものとなっているが、表面シート１の長さ方向全長に亘って形成してもよい。このようにしても、延出部１３とは反対側の端縁シール部１０側の側縁シール部５，６が全幅に亘って強側縁シール部５ｂ，６ｂ（強シール部）となっており、切れ目線１７，１８による表面シート１の裂けを抑制するので、開封量の調整には支障がなく、しかも切れ目線１７，１８の形成位置調整の負担が軽減される。
【００３４】
次に、図６及び図７に基づいて本発明に係る包装袋の第二の例を説明する。なお、図６及び図７において、図１〜図５と同じ符号は同様の構成要素を示す。
【００３５】
本例の包装袋は、少なくとも表面シート１が長さ方向に延伸された一軸延伸フィルム層を有する積層シートで構成されており、切れ目線１７，１８（図１、図２参照）を有していない代わりに、表面シート１側の延出部１３の幅方向両端部の未シール部１５，１６に対応する位置にそれぞれノッチ１９，２０が形成されている点以外は前記第一の例と同様である。表面シート１としては、例えば第一の例の説明において述べた基材層として一軸延伸フィルムを用いた積層フィルムを用いることができる。ノッチ１９，２０は、ＶノッチでもＩノッチでも良い。
【００３６】
本例の場合、表面シート１側の延出部１３を引き上げ、端縁シール部９及び弱側縁シール部５ａ，６ａを剥離すると、ノッチ１９，２０から表面シート１が裂け、裂け目が表面シート１の一軸延伸フィルム層の延伸方向に伝播して開封が行われる。この裂け目の伝播は、未シール部１５，１６を通って行われる。裂け目は、両側に存在する弱側縁シール部５ａ，６ａ及び強側縁シール部５ｂ，６ｂによって案内されるので、未シール部１５，１６から外へずれにくい利点がある。また、裂け目が未シール部１５，１６の内端に連なる強側縁シール部５ｂ，６ｂの位置まで来ると、伝播が停止されて開封が止まることになる。なお、本例においても、ノッチ１９，２０からの裂け目の伝播をスムーズにするため、未シール部１７上に端縁シール部９が形成されないようにすることもできる。
【００３７】
本例の包装袋は、上記未シール部１５，１６をも含めて弱側縁シール部５ａ，６ａとすることもできる。つまり、両側縁シール部５，６は、弱シール部である端縁シール部９側の端部から長さ方向中間部までの領域における幅方向内側が弱シール部である弱側縁シール部５ａ，６ａ、この弱側縁シール部５ａ，６ａの幅方向外側に連続して隣接する領域を含む両側縁シール部５，６の残部が強シール部である強側縁シール部と５ｂ，６ｂすることもできる。この場合、ノッチ１９，２０は、延出部１３の幅方向両端部の前記弱側縁シール部５ａ，６ａに対応する位置にそれぞれ形成されることになる。弱シール部の場合、一軸延伸フィルム層の配向状態を完全に解除することなくシールが可能であることから、裂け目を延伸方向へ誘導することが可能である。このため、弱側縁シール部５ａ，６ａの幅方向中間部に沿って裂け目を伝播させ、弱側縁シール部５ａ，６ａの内縁側を剥離させつつ開封することができる。
【００３８】
図８及び図９に基づいて本発明に係る包装袋の第三の例を説明する。なお、図８及び図９において、図１〜図５と同じ符号は同様の構成要素を示す。
【００３９】
この第三の例においても、端縁シール部９に連なる両側縁シール部５，６の延出部１３，１４側の端部から長さ方向中間部までの領域は、各側縁シール部５，６の幅方向内側に形成された弱側縁シール部５ａ，６ａと、外側に形成された強側縁シール部５ｂ，６ｂとに分かれている。しかし、この弱側縁シール部５ａ，６ａと強側縁シール部５ｂ，６ｂとの間には、前述の第一の例のような未シール部１５，１６（図１、図２参照）が存在せず、弱側縁シール部５ａ，６ａと幅方向に接する強側縁シール部５ｂ，６ｂ部分を有するものとなっている。また、切れ目線１７，１８は、表面シート１の延出部１３側に設けられた端縁シール部９側の端部から両側縁シール部５，６の長さ方向中間部まで、弱側縁シール部５ａ，６ａ内を通って形成されている。本例は、未シール部１５，１６（図１、図２参照）が存在せずに弱側縁シール部５ａ，６ａと幅方向に接する強側縁シール部５ｂ，６ｂ部分を有する点、切れ目線１７，１８が弱側縁シール部５ａ，６ａ内を通って形成されている点を除き、前記第一の例と同様である。
【００４０】
本例のように切れ目線１７，１８を弱側縁シール部５ａ，６ａ内に形成すると、切れ目線１７，１８を連続した切断ラインとして形成しても、その両側が捲れて外観が低下するのを防止することができる。また、本例における切れ目線１７，１８は、弱側縁シール部５ａ，６ａの形成時に融着して切断しにくくなるのを防止するために、弱側縁シール部５ａ，６ａを含む側縁シール部５，６の形成後に袋の外側から形成することが好ましい。この形成は、外側からのレーザー照射などによって行うことができる。
【００４１】
本例における開封も、基本的には図４及び図５で説明した第一の例の開封と同様である。本例の場合、切れ目線１７，１８に沿って表面シート１が切断されると共に、切れ目線１７，１８より内側の弱側縁シール部５ａ，５ｂ部分が剥がれて開封されることになる。また、図面上切れ目線１７，１８は弱側縁シール部５ａ，６ａの長さ分だけ形成されたものとなっているが、表面シート１の長さ方向全長に亘って形成してもよい。このようにしても、延出部１３とは反対側の端縁シール部１０側の側縁シール部５，６が全幅に亘って強側縁シール部５ｂ，６ｂ（強シール部）となっており、切れ目線１７，１８による表面シート１の裂けを抑制するので、開封量の調整には支障がなく、しかも切れ目線１７，１８の形成位置調整の負担が軽減される。
【００４２】
強側縁シール部５ｂ，６ｂは、前記のように、弱シール部よりシール強度が強い強シール部であるが、第一及び第三の例において、表面シート１を力を込めて引っ張ることで、剥離可能な程度のシール強度であることが好ましい。このようなシール強度とすると共に、切れ目線１７，１８の強側縁シール部５ｂ，６ｂとの交差部を外方へ曲げて、強側縁シール部５ｂ，６ｂを斜めに横断させておくと、例えば図５に示される半開状態から更に大きく開口させたい場合に、表面シート１を更に強く引くことで、両側縁シール部５，６を全長に亘って剥離して表面シート１を捲り上げ、開口部を全開にすることができる。
【００４３】
包装袋の第一及び第三の例において、切れ目線１７，１８の延出部１３側の端部に、包装袋の第二の例で用たものと同様のノッチ１９，２０（図６参照）を設けておくと、切れ目線１７，１８に沿った引き裂き開始が容易となる。
【００４４】
包装袋の第一〜第三の例は、ガゼット袋であり、側面シート３，４の存在によって内部空間を広くとれることから、例えば被包装物を、上部が開放された箱に収容し、この箱ごと包み込むことができる。この場合、箱の開口部を表面シート１側にして収容しておけば、表面シート１を前記のようにして捲り上げることで、被包装物を容易に取り出すことができる。
【００４５】
本発明に係る包装袋の第一〜第三の例は、表面シート１側と背面シート２側の両者に側縁シール部５，６，７，８が形成されたものとなっている（図１、図２、図６、図７、図８、図９参照）。しかし、図１０（ａ）に示される変形例のように、側面シート３，４が背面シート２の対応する側縁に一体に連なったものとすることで、背面シート２側の側縁シール部７，８（図２、図７、図９参照）がなく、表面シート１側にだけ側縁シール部５，６が形成された包装袋とすることもできる。この変形例の場合、側縁シール部７，８（図２、図７、図９参照）が不要であるので、製造工程を簡略化することができる。また、図１０（ｂ），（ｃ）に示されるように、背面シート２が背貼りシール部２１で合掌シールされて接合されたピロータイプの袋とすることもできる。このピロータイプの袋とする場合、（ｂ）に示されるように、背面シート２と側面シート３，４が一体で、表面シート１をこれとは別体としたり、（ｃ）に示されるように、表面シート１、側面シート３，４及び背面シートが一つながりのものとすることもできる。なお、図１０（ａ）〜（ｃ）のいずれの袋においても、背面シート２側の側縁シール部７，８（図２、図７、図９参照）を形成しても良い。
【００４６】
本発明に係る包装袋の第一〜第三の例において、表面シート１側の延出部１３の中央部を外方へ舌片状に張り出させておくことで、表面シート１を引っ張りやすくすることができる。また、図示される第一〜第三の例における延出部１３は、表面シート１及び背面シート２が全幅に亘って端縁シール部９より外方へ延出したものとなっているが、表面シート１及び背面シート２の一部、例えば上記舌片状の部分に対応する領域のみが端縁シール部９より外方へ延出したものとすることもできる。
【００４７】
以上説明した包装袋の第一〜第三の例は、ガゼット袋であるが、次に平袋について説明する。以下に参照する図１１〜図１７において、図１〜図５と同じ符号は同様の構成要素を示し、類似の符号は類似の構成要素を示す。
【００４８】
図１１〜図１３に示される包装袋の第四の例は、平袋となっている。つまり、表面シート１と背面シート２を重ね、その四周を、側縁シール部５’，６’と端縁シール部９’，１０’で熱融着し、周縁シール部１１’を形成することで袋状としたものとなっている。側縁シール部５’，６’と端縁シール部９’，１０’は、いずれも表面シート１と背面シート２の対向部を熱融着したものである。
【００４９】
両側縁シール部５’，６’は、端縁シール部９’側の端部から長さ方向中間部までの領域における幅方向内側が弱シール部である弱側縁シール部５ａ’，６ａ’、この弱側縁シール部５ａ’，６ａ’の幅方向外側に隣接する領域を含む両側縁シール部５’，６’の残部が強シール部である強側縁シール部５ｂ’，６ｂ’となっている。また、端縁シール部１０’は強シール部となっている。この包装袋の第四の例は、基本的には側面シート３，４（図１、図２参照）を有していない点以外は前述の第一の例と同様で、この第四の例に係る包装袋の開封は、前記包装袋の第一の例と同様にして行われる。
【００５０】
図１４及び図１５に示される包装袋の第五の例は、平袋となっている点以外は前記包装袋の第二の例と同様である。また、少なくとも表面シート１が長さ方向に延伸された一軸延伸フィルム層を有する積層シートで構成されており、切れ目線１７，１８（図１１、図１２参照）を有していない代わりに、表面シート１側の延出部１３の幅方向両端部の未シール部１５，１６に対応する位置にそれぞれノッチ１９，２０が形成されている点以外は前記第四の例と同様である。この包装袋の第五の例の開封は、前記包装袋の第二の例と同様にして行われる。この包装袋の第五の例は、前記包装袋の第二の例と同様に、上記未シール部１５，１６をも含めて弱側縁シール部５ａ’，６ａ’とすることもできる。つまり、両側縁シール部５’，６’は、弱シール部である端縁シール部９’側の端部から長さ方向中間部までの領域における幅方向内側が弱シール部である弱側縁シール部５ａ’，６ａ’、この弱側縁シール部５ａ’，６ａ’の幅方向外側に連続して隣接する領域を含む両側縁シール部５’，６’の残部が強シール部である強側縁シール部５ｂ’，６ｂ’とすることもできる。ノッチ１９，２０は、延出部１３の幅方向両端部の前記弱側縁シール部５ａ’，６ａ’に対応する位置にそれぞれ形成する。このようにしても開封可能であることは前記包装袋の第二の例の説明において述べたとおりである。
【００５１】
図１６及び図１７に示される包装袋の第六の例は、平袋となっている点以外は前記第三の例と同様である。また、、未シール部１５，１６（図１１、図１２参照）が存在せずに弱側縁シール部５ａ’，６ａ’と幅方向に接する強側縁シール部５ｂ’，６ｂ’部分を有する点、切れ目線１７，１８が弱側縁シール部５ａ’，６ａ’内を通って形成されている点を除き、前記第四の例と同様である。この第六の例に係る包装袋の開封は、前記包装袋の第三の例と同様にして行われる。
【００５２】
包装袋の第四及び第六の例において、切れ目線１７，１８の延出部１３側の端部に、包装袋の第五の例で用たものと同様のノッチ１９，２０（図１４参照）を設けておくと、切れ目線１７，１８に沿った引き裂き開始が容易となる。
【００５３】
次に、本発明に係る包装容器の第一の例を図１８〜図２０で説明する。
【００５４】
本例の包装容器は、平面四角形をなす蓋材１０１と、やはり平面四角形をなす容器１０２とから構成されている。容器１０２は、開口部周縁にフランジ部１０３が張り出したもので、蓋材１０１はその周縁部がこのフランジ部１０３に熱融着されて容器１０２の開口部を封止している。
【００５５】
蓋材１０１は、包装袋の第一の例で説明した表面シート１（図１〜図３参照）などと同様の層構成の積層シートを用いることができる。蓋材１０１の両側縁部と両端縁部は、対向する容器１０２のフランジ部１０３の外周縁部に、側縁シール部１０４，１０５と端縁シール部１０６，１０７でそれぞれ熱融着されている。蓋材１０１の周縁に形成された側縁シール部１０４，１０５及び端縁シール部１０６，１０７は蓋材１０１の周縁シール部１０８を構成している。
【００５６】
蓋材１０１一方の端縁部は、同じ側の端縁シール部１０６よりも外側に延出した延出部１０９を有している。本例においては、蓋材１０１の周囲に形成された周縁シール部１０８のうち、前記両側縁シール部１０４，１０５の一部及び延出部１０９側の端縁シール部１０６は引き剥がし可能な弱シール部、その他の領域はこの弱シール部よりシール強度の高い強シール部となっている。弱シール部と強シール部は包装袋の第一の例で説明した内容と同じである。
【００５７】
両側縁シール部１０４，１０５は、上記のように弱シール部となった端縁シール部１０６側の端部から長さ方向中間部までの領域における幅方向内側が弱シール部である弱側縁シール部１０４ａ，１０５ａ、この弱側縁シール部１０４ａ，１０５ａの幅方向外側に隣接する領域を含む両側縁シール部１０４，１０５の残部が強シール部である強側縁シール部１０４ｂ，１０５ｂとなっている。つまり、両側縁シール部１０４，１０５は、延出部１０９側に設けられた端縁シール部１０６側では幅方向に弱シール部と強シール部が並列しており、延出部１０９とは反対側の端縁シール部１０７側では、この並列した弱シール部と強シール部に連なって全幅に亘って強シール部となっている。また、端縁シール部１０７は強シール部となっている。
【００５８】
両側縁シール部１０４，１０５の端縁シール部１０６側の端部から長さ方向中間部までの領域に形成された弱側縁シール部１０４ａ，１０５ａとその幅方向外側の強側縁シール部１０４ｂ，１０５ｂとの間には、それぞれ未シール部１１０，１１１が残されている。そして、蓋材１０１には、端縁シール部１０６側の端部から両側縁シール部１０４，１０５の長さ方向中間部まで、即ち弱側縁シール部１０４ａ，１０５ａの内端に対応する位置まで、端縁シール部１０６を横切り未シール部１１０，１１１内を通って切れ目線１１２，１１３が形成されている。この切れ目線１１２，１１３は、包装袋の第一の例で説明した切れ目線１７，１８（図１、図２参照）と同様である。
【００５９】
本包装容器の開封は、延出部１０９を引っ張って、端縁シール部１０６及び弱側縁シール部１０４ａ，１０５ａを剥離すると共に、切れ目線１１２，１１３に沿って蓋材１０１を切断して捲り上げることで開封される。この開封原理は、前述した包装袋の第一の例と基本的には同じである。
【００６０】
次に、図２１及び図２２に基づいて本発明に係る包装容器の第二の例を説明する。なお、図２１及び図２２において、図１８〜図２０と同じ符号は同様の構成要素を示す。
【００６１】
本例の包装容器は、蓋材１０１が長さ方向に延伸された一軸延伸フィルム層を有する積層シートで構成されており、切れ目線１１２，１１３（図１８、図１９参照）を有していない代わりに、延出部１０９の幅方向両端部の未シール部１１０，１１１に対応する位置にそれぞれノッチ１１４，１１５が形成されている点以外は前記包装容器の第一の例と同様である。蓋材１０１としては、基材層として一軸延伸フィルムを用いた積層フィルムを用いることができる。ノッチ１１４，１１５は、ＶノッチでもＩノッチでも良い。
【００６２】
本例の場合、表面シート１側の延出部１３を引き上げ、端縁シール部９及び弱側縁シール部５ａ，６ａを剥離すると、ノッチ１９，２０から表面シート１が裂け、裂け目が表面シート１の一軸延伸フィルム層の延伸方向に伝播して開封が行われる。この開封原理は、前述した包装袋の第二の例と基本的には同じである。この包装容器の第二の例は、前記包装袋の第二の例と同様に、上記未シール部１１０，１１１をも含めて弱側縁シール部１０４ａ，１０５ａとすることもできる。つまり、両側縁シール部１０４，１０５は、弱シール部である端縁シール部１０６側の端部から長さ方向中間部までの領域における幅方向内側が弱シール部である弱側縁シール部１０４ａ，１０５ａ、この弱側縁シール部１０４ａ，１０５ａの幅方向外側に連続して隣接する領域を含む両側縁シール部１０４，１０５の残部が強シール部である強側縁シール部１０４ｂ，１０５ｂとすることもできる。ノッチ１１４，１１５は、延出部１０９の幅方向両端部の前記弱側縁シール部１０４ａ，１０５ａに対応する位置にそれぞれ形成する。このようにしても開封可能であることは前記包装袋の第二の例の説明において述べたとおりである。
【００６３】
更に、図２３及び図２４に基づいて本発明に係る包装容器の第三の例を説明する。なお、図２３及び図２４において、図１８〜図２０と同じ符号は同様の構成要素を示す。
【００６４】
本例の包装容器においては、弱側縁シール部１０４ａ，１０５ａと強側縁シール部１０４ｂ，１０５ｂとの間には、前述の第一の例のような未シール部１１０，１１１（図１８、図１９参照）が存在せず、弱側縁シール部１０４ａ，１０５ａと幅方向に接する強側縁シール部１０４ｂ，１０５ｂ部分を有するものとなっている。また、切れ目線１１２，１１３は、蓋材１０１の延出部１０９側に設けられた端縁シール部１０６側の端部から両側縁シール部１０４，１０５の長さ方向中間部まで、弱側縁シール部１０４ａ，１０５ａ内を通って形成されている。本例は、未シール部１１０，１１１（図１８、図１９参照）が存在せずに弱側縁シール部１０４ａ，１０５ａと幅方向に接する強側縁シール部１０４ｂ，１０５部分を有する点、切れ目線１１０，１１１が弱側縁シール部１０４ａ，１０５ａ内を通って形成されている点を除き、前記包装容器の第一の例と同様である。また、本例の補言う層用機の開封原理は、前述した包装袋の第三の例と基本的には同じである。
【００６５】
包装容器の第一及び第三の例において、切れ目線１１２，１１３の延出部１０９側の端部に、包装容器の第二の例で用たものと同様のノッチ１１４，１１５（図２１参照）を設けておくと、切れ目線１１２，１１３に沿った引き裂き開始が容易となる。
【００６６】
本発明に係る包装容器は、例えば一回では消費されない食品の包装などに好ましく用いることができる。具体的には、バターやマーガリンの包装、大型のアイスクリームの包装などに用いることができる。
【００６７】
本発明に係る包装袋及び包装容器の製造に際しては、総てのシール部を弱シールして弱シール部とした後、この弱シール部に重ねて必要な範囲を強シールして強シール部とすることで、必要な範囲に弱シール部と強シール部を形成することができる。また、弱シールする領域と強シールする領域を区分けしてシールすることでも、必要な範囲に弱シール部と強シール部を形成することができる。
【符号の説明】
【００６８】
１  平面シート（表面シート）
２  平面シート（背面シート）
３，４  側面シート
５，６  側縁シール部（表面シート側）
５ａ，６ａ  弱側縁シール部
５ｂ，６ｂ  強側縁シール部
５’，６’  側縁シール部
５ａ’，６ａ’  弱側縁シール部
５ｂ’，６ｂ’  強側縁シール部
７，８  側縁シール部（背面シート側）
９，１０  端縁シール部
９’，１０’端縁シール部
１１  周縁シール部（表面シート側）
１１’  周縁シール部
１２  周縁シール部（背面シート側）
１３，１４  延出部
１５，１６  未シール部
１７，１８  切れ目線
１９，２０  ノッチ
２１  背貼りシール部
１０１  蓋材
１０２  容器
１０３  フランジ部
１０４，１０５  側縁シール部
１０４ａ，１０５ａ  弱側縁シール部
１０４ｂ，１０５ｂ  強側縁シール部
１０６，１０７  端縁シール部
１０８  周縁シール部
１０９  延出部
１１０，１１１  未シール部
１１２，１１３  切れ目線
１１４，１１５  ノッチ
【図１】
0005462065.tif 000002
【図２】
0005462065.tif 000003
【図３】
0005462065.tif 000004
【図４】
0005462065.tif 000005
【図５】
0005462065.tif 000006
【図６】
0005462065.tif 000007
【図７】
0005462065.tif 000008
【図８】
0005462065.tif 000009
【図９】
0005462065.tif 000010
【図１０】
0005462065.tif 000011
【図１１】
0005462065.tif 000012
【図１２】
0005462065.tif 000013
【図１３】
0005462065.tif 000014
【図１４】
0005462065.tif 000015
【図１５】
0005462065.tif 000016
【図１６】
0005462065.tif 000017
【図１７】
0005462065.tif 000018
【図１８】
0005462065.tif 000019
【図１９】
0005462065.tif 000020
【図２０】
0005462065.tif 000021
【図２１】
0005462065.tif 000022
【図２２】
0005462065.tif 000023
【図２３】
0005462065.tif 000024
【図２４】
0005462065.tif 000025